(57)【特許請求の範囲】
【請求項１】
複数のパラメータからなるパラメータセットに基づいて画像を調整して表示する画像表示装置であって、
前記パラメータセットを複数組記憶する記憶手段と、
前記記憶手段に記憶された前記複数組のパラメータセットの中から、所望の１組を選択させる選択手段と、
前記選択手段によって選択されたパラメータセットを取得して、当該パラメータセットに基づいて前記画像の表示状態を調整する画像調整手段と、
を備え、
前記選択手段が前記１組のパラメータセットを選択させる際に、前記画像表示装置は、現在使用中のパラメータセットに含まれるパラメータと、前記記憶手段に記憶されたパラメータセットに含まれるパラメータとを表示すると共に、現在使用中のパラメータセットに基づいて調整された画像と、前記記憶手段に記憶されたパラメータセットに基づいて調整された画像とを切り替え可能に表示することを特徴とする画像表示装置。
【請求項２】
複数のパラメータからなるパラメータセットに基づいて画像を調整して表示する画像表示装置であって、
前記パラメータを変更するパラメータ変更手段と、
前記パラメータセットを複数組記憶可能な記憶手段と、
前記パラメータ変更手段で変更されたパラメータを含むパラメータセットを、前記記憶手段に記憶させる登録手段と、
を備え、
前記登録手段が前記パラメータセットを前記記憶手段に記憶させる前に、前記画像表示装置は、前記パラメータセットに含まれるパラメータと、既に前記記憶手段に記憶されているパラメータセットに含まれるパラメータとを表示すると共に、前記パラメータセットに基づいて調整された画像と、既に前記記憶手段に記憶されているパラメータセットに基づいて調整された画像とを切り替え可能に表示することを特徴とする画像表示装置。
【請求項３】
請求項１または２に記載の画像表示装置であって、現在使用中のパラメータセットに基づいて調整された画像と、前記記憶手段に記憶されたパラメータセットに基づいて調整された画像とを切り替え可能に表示する際に、表示されている画像が現在使用されているパラメータセットに基づいて調整された画像であるか、前記記憶手段に記憶されたパラメータセットに基づいて調整された画像であるかを識別するための画像を表示することを特徴とする画像表示装置。
【請求項４】
請求項１〜３のいずれか１項に記載の画像表示装置として機能することを特徴とするプロジェクタ。
【請求項５】
複数のパラメータからなるパラメータセットに基づいて画像を調整して表示する画像表示装置におけるパラメータセットの選択方法であって、
複数の前記パラメータセットの中から、所望の１組を選択するステップと、
選択された前記パラメータセットを取得して、当該パラメータセットに基づいて前記画像の表示状態を調整するステップと、
を備え、
前記１組のパラメータセットを選択する際に、現在使用中のパラメータセットに含まれるパラメータと、前記記憶手段に記憶されたパラメータセットに含まれるパラメータとを表示すると共に、現在使用中のパラメータセットに基づいて調整された画像と、前記記憶手段に記憶されたパラメータセットに基づいて調整された画像とを切り替え可能に表示することを特徴とするパラメータセットの選択方法。
【請求項６】
複数のパラメータからなるパラメータセットに基づいて画像を調整して表示する画像表示装置におけるパラメータセットの記憶方法であって、
前記パラメータを変更するステップと、
前記パラメータ変更手段で変更されたパラメータを含むパラメータセットを、記憶手段に記憶させるステップと、
を備え、
前記パラメータセットを前記記憶手段に記憶させる前に、前記パラメータセットに含まれるパラメータと、既に前記記憶手段に記憶されているパラメータセットに含まれるパラメータとを表示すると共に、前記パラメータセットに基づいて調整された画像と、既に前記記憶手段に記憶されているパラメータセットに基づいて調整された画像とを切り替え可能に表示することを特徴とするパラメータセットの記憶方法。
【発明の詳細な説明】
【技術分野】
【０００１】
本発明は、表示する画像の表示状態を調整することが可能な画像表示装置及びプロジェクタに関する。
【背景技術】
【０００２】
画像信号に基づいた画像を表示する画像表示装置の多くは、ユーザが、画像の明るさやコントラスト、色合い等を表すパラメータを設定することによって画質調整を行うことが可能になっている。ユーザは、これらのパラメータを、画像の種別（静止画、動画）やその内容（映画、スポーツ、ニュース等）、或いは部屋の明るさ等の視聴環境等に応じて適宜設定することができる。しかしながら、画像や視聴環境等が変わる度にパラメータの設定作業が必要となるため、設定すべきパラメータの数が多いほど、その作業が煩雑になっていた。
【０００３】
上記作業の煩雑さを軽減するために、設定した各種パラメータの組み合わせ（パラメータセット）をメモリに記憶（登録）させることが可能であるとともに、画像や視聴環境が変化する際には、登録された複数のパラメータセットの中から所望のパラメータセットを呼び出すことにより、容易に各種パラメータを設定可能な画像表示装置（プロジェクタ）が提案されている（例えば、特許文献１、２参照）。メモリに登録された各パラメータセットには、識別子（Ａ、Ｂ、Ｃ、…や、「メモリ１」、「メモリ２」、…等の見出し）が付加されており、所望のパラメータセットを選択する際には、複数の識別子の中からいずれか１つ指定することになる。
【０００４】
【特許文献１】特開２００３−２９５３２１号公報
【特許文献２】特開２００５−９９６２０号公報
【発明の開示】
【発明が解決しようとする課題】
【０００５】
しかしながら、識別子自体には、登録されたパラメータセットの内容（パラメータ）を表す情報が含まれていないため、識別子のみによってその登録内容を知ることは困難であった。登録内容を知るためには、１つのパラメータセットを一旦呼び出し、その後の画質の変化を確認したり、パラメータ設定画面等で各パラメータを確認したりしなければならず、さらに、その確認の結果、呼び出したパラメータセットが所望のものではなかった場合には、上記の操作（パラメータセットの呼出と、その確認）を繰り返さなければならなかった。つまり、登録されたパラメータセットを呼び出す際に、複数のパラメータセットの中から所望の１つを特定することが困難であるという問題を有していた。同様に、パラメータセットを登録する際にも、登録済みのパラメータセットの内容を確認することが困難であるため、メモリ容量の制約等により登録可能なパラメータセットの数に限りがあるにも拘わらず、同一若しくは類似のパラメータセットを複数登録してしまうという問題を有していた。
【０００６】
本発明は上記問題を鑑みてなされたものであり、その第１の目的は、パラメータセットを呼び出す際に、複数のパラメータセットの中から所望のパラメータセットを選択する際の利便性を向上することが可能な画像表示装置を提供することにある。また、本発明の第２の目的は、パラメータセットを登録する際に、登録済みのパラメータセットの設定内容を容易に確認可能な画像表示装置及びプロジェクタを提供することにある。
【課題を解決するための手段】
【０００７】
本発明の画像表示装置は、複数のパラメータからなるパラメータセットに基づいて画像を調整して表示する画像表示装置であって、前記パラメータセットを複数組記憶する記憶手段と、前記記憶手段に記憶された前記複数組のパラメータセットの中から、所望の１組を選択させる選択手段と、前記選択手段によって選択されたパラメータセットを取得して、当該パラメータセットに基づいて前記画像の表示状態を調整する画像調整手段とを備え、前記選択手段は、前記１組のパラメータセットを選択させる際に、現在使用中のパラメータセットに含まれるパラメータと、前記記憶手段に記憶されたパラメータセットに含まれるパラメータとを表示することを特徴とする。
【０００８】
この画像表示装置によれば、選択手段が、記憶手段に記憶された複数組のパラメータセットの中から所望の１組を選択させる際に、現在使用中のパラメータセットに含まれるパラメータと、記憶手段に記憶されたパラメータセットに含まれるパラメータとを表示するため、双方のパラメータセットに含まれるパラメータを比較することが可能となる。この比較により、記憶手段に記憶された各パラメータセットを使用した場合の表示状態を予測することが容易になり、複数組のパラメータセットの中から所望の１組を選択する際の利便性が向上する。
【０００９】
この画像表示装置において、前記選択手段は、前記１組のパラメータセットを選択させる際に、現在使用中のパラメータセットに基づいて調整された画像と、前記記憶手段に記憶されたパラメータセットに基づいて調整された画像とを表示することが望ましい。
【００１０】
この画像表示装置によれば、選択手段が、記憶手段に記憶された複数組のパラメータセットの中から所望の１組を選択させる際に、現在使用中のパラメータセットに基づいて調整された画像と、記憶手段に記憶されたパラメータセットに基づいて調整された画像とを表示する。つまり、記憶手段に記憶されたパラメータセットを使用した場合の表示状態を、実際の画像を見て確認できるとともに、現在使用中のパラメータセットに基づいた画像と比較することが可能となるため、複数組のパラメータセットの中から所望の１組を選択する際の利便性がさらに向上する。
【００１１】
この画像表示装置において、前記選択手段は、現在使用中のパラメータセットに基づいて調整された画像と、前記記憶手段に記憶されたパラメータセットに基づいて調整された画像とを同時に表示することが望ましい。
【００１２】
この画像表示装置によれば、選択手段が、記憶手段に記憶された複数組のパラメータセットの中から所望の１組を選択させる際に、現在使用中のパラメータセットに基づいて調整された画像と、記憶手段に記憶されたパラメータセットに基づいて調整された画像とを同時に表示するため、双方を比較するのが容易になる。
【００１３】
本発明の画像表示装置は、複数のパラメータからなるパラメータセットに基づいて画像を調整して表示する画像表示装置であって、前記パラメータを変更するパラメータ変更手段と、前記パラメータセットを複数組記憶可能な記憶手段と、前記パラメータ変更手段で変更されたパラメータを含むパラメータセットを、前記記憶手段に記憶させる登録手段とを備え、前記登録手段は、前記パラメータセットを前記記憶手段に記憶させる前に、前記パラメータセットに含まれるパラメータと、既に前記記憶手段に記憶されているパラメータセットに含まれるパラメータとを表示することを特徴とする。
【００１４】
この画像表示装置によれば、登録手段が、パラメータセットを記憶手段に記憶させる前に、記憶しようとしているパラメータセットに含まれるパラメータと、既に記憶手段に記憶されているパラメータセットに含まれるパラメータとを表示するため、双方のパラメータセットに含まれるパラメータを比較することが可能となる。この結果、記憶しようとしているパラメータセットと同一若しくは類似のパラメータセットが既に記憶されているか否かを確認することが容易になり、同一若しくは類似のパラメータセットを複数記憶してしまうことを抑制することが可能となる。
【００１５】
この画像表示装置において、前記登録手段は、前記パラメータセットを前記記憶手段に記憶させる前に、前記パラメータセットに基づいて調整された画像と、既に前記記憶手段に記憶されているパラメータセットに基づいて調整された画像とを表示することが望ましい。
【００１６】
この画像表示装置によれば、登録手段が、パラメータセットを記憶手段に記憶させる前に、記憶しようとしているパラメータセットに基づいて調整された画像と、既に記憶手段に記憶されているパラメータセットに基づいて調整された画像とを表示する。この結果、双方のパラメータセットを、実際の画像を見て比較することが可能となるため、同一若しくは類似のパラメータセットが既に記憶されているか否かを確認することがさらに容易になる。
【００１７】
この画像表示装置において、前記登録手段は、前記パラメータセットに基づいて調整された画像と、既に前記記憶手段に記憶されているパラメータセットに基づいて調整された画像とを同時に表示することが望ましい。
【００１８】
この画像表示装置によれば、登録手段が、パラメータセットを記憶手段に記憶させる前に、記憶しようとしているパラメータセットに基づいて調整された画像と、既に記憶手段に記憶されているパラメータセットに基づいて調整された画像とを同時に表示するため、双方を比較するのが容易になる。
【００１９】
本発明のプロジェクタは、前述した画像表示装置として機能することを特徴とする。
【００２０】
プロジェクタは、画像を大画面で表示することが可能であることから、近年、映画鑑賞等のために用いられることが多くなっている。このため、画像に対して細かな画質調整が可能であることが求められるとともに、画質調整を施すためのパラメータを容易に登録したり呼び出したりしたいというニーズが高まっている。本発明のプロジェクタによれば、前述した画像表示装置と同一の効果を有するため、前記ニーズを満たすことが可能となる。
【発明を実施するための最良の形態】
【００２１】
（第１実施形態）
以下、本発明の第１実施形態に係る画像表示装置について、図面を参照して説明する。
図１は、本実施形態に係る画像表示装置であるプロジェクタの概略構成を示すブロック図である。
プロジェクタ１は、光源から射出される光を、外部から入力される画像信号に応じて変調して光学像を形成し、形成した光学像をスクリーン上に拡大投写する。
【００２２】
図１に示すように、プロジェクタ１には、画像の投写を行う投写部１０が備えられている。投写部１０は、超高圧水銀ランプやメタルハライドランプ等の放電型光源ランプからなる光源１１と、光変調装置としての液晶ライトバルブ１２と、投写レンズ１３と、ライトバルブ駆動部１４とを備えている。
【００２３】
液晶ライトバルブ１２には、複数の画素が形成されており、ライトバルブ駆動部１４が、入力した画像信号に基づいて液晶ライトバルブ１２を駆動することにより、光源１１から射出した光は、液晶ライトバルブ１２で画素毎に変調され、画像信号に応じた光学像が形成される。形成された光学像は、投写レンズ１３によってスクリーンＳＣ等に向けて拡大投写され、スクリーンＳＣ上に画像として表示される。
【００２４】
なお、図示は省略しているが、光源１１と液晶ライトバルブ１２の間の光路には、光源光を３色（赤、緑、青）の色光Ｒ，Ｇ，Ｂに分離する光分離光学系が配置されており、分離された各色光Ｒ，Ｇ，Ｂをそれぞれ変調するために、液晶ライトバルブ１２は３つ１組で用いられる。また、液晶ライトバルブ１２と投写レンズ１３の間の光路には、変調された各色光Ｒ，Ｇ，Ｂを合成するクロスダイクロイックプリズム等の光合成光学系が配置されており、合成されたカラーの光学像が投写レンズ１３から射出する。
【００２５】
プロジェクタ１は、さらに、制御部２０と、記憶部２１と、入力操作部２２と、リモコン信号受信部２３と、入力端子ＣＮと、画像データ処理部２５と、画像メモリ２６と、ＯＳＤ処理部２７と、ＯＳＤメモリ２８と、リモコンＲＣとを備えている。
【００２６】
制御部２０は、ＣＰＵ（Central Processing Unit）等で構成されて、コンピュータとして機能するものであり、前記各部２１〜２３，２５，２７に接続され、記憶部２１に記憶されている制御プログラムに従って、プロジェクタ１の動作を統括制御する。
【００２７】
記憶部２１は、本発明の記憶手段に相当し、フラッシュＲＯＭ（Read Only Memory）等のメモリによって構成されている。記憶部２１は、前記制御プログラムを記憶するとともに、各種設定値（パラメータ）等の記憶に用いられる。
【００２８】
入力操作部２２及びリモコンＲＣは、プロジェクタ１に対して各種操作を行うための複数のキーを備えている。入力操作部２２やリモコンＲＣが備えるキーには、電源のオン／オフを行うための電源キーや、各種設定を行うためのメニュー画像の表示／非表示を切り換えるメニューキー（「Ｍｅｎｕ」）、メニュー画像上でのカーソルの移動等に用いられる方向キー（「↑」、「↓」、「→」、「←」の４つのキー）、メニュー画像上での項目の選択等を指示する決定キー（「Ｓｅｌ」）、動作の取消を指示する取消キー（「ＥＳＣ」）等がある。ユーザが入力操作部２２を操作すると、入力操作部２２は、ユーザの操作内容に応じた操作信号を制御部２０に出力する。また、ユーザがリモコンＲＣを操作すると、リモコンＲＣは、ユーザの操作内容に応じた赤外線の操作信号を発し、リモコン信号受信部２３がこれを受信して制御部２０に伝達する。
【００２９】
入力端子ＣＮは、ビデオ再生装置やパーソナルコンピュータ等の外部の画像供給装置（図示せず）から各種形式の画像信号を入力可能になっており、入力した画像信号は、画像データ処理部２５に供給される。
【００３０】
画像データ処理部２５は、入力端子ＣＮから供給された各種形式の画像信号を、色（Ｒ，Ｇ，Ｂ）毎の階調値からなる画像データに変換する。さらに、制御部２０から、画質（表示状態）を調整するための複数のパラメータ（パラメータセット）を入力し、当該パラメータセットに基づき、変換した画像データに対して、明るさ、コントラスト、シャープネス、色合い等の調整や、ガンマ補正等の各種画質調整を施す。即ち、画像データ処理部２５は、本発明の画像調整手段として機能する。画像メモリ２６は、画像データ処理部２５による前記画質調整処理の際の一時記憶等に用いられ、複数フレーム（複数画面）分の画像データを記憶可能になっている。画像データ処理部２５で画質調整がなされた画像データは、ＯＳＤ処理部２７に出力される。
【００３１】
ＯＳＤ処理部２７は、制御部２０の指示に基づいて、メニュー画像やメッセージ画像等からなるＯＳＤ（オンスクリーンディスプレイ）画像を、入力画像（入力した画像信号に基づく画像）に重畳するための処理を行う。ＯＳＤメモリ２８には、ＯＳＤ画像を形成するための図形やフォント等を表す画像データが記憶されており、制御部２０が、ＯＳＤ画像を特定可能なＯＳＤ画像情報をＯＳＤ処理部２７に出力すると、ＯＳＤ処理部２７は、必要な画像データをＯＳＤメモリ２８から読み出してＯＳＤ画像データを生成する。さらに、ＯＳＤ処理部２７は、入力画像の所定の位置にＯＳＤ画像が重畳されるように、入力画像データ（入力した画像信号に基づく画像データ）にこのＯＳＤ画像データを合成する。合成された画像データは、ライトバルブ駆動部１４に出力される。なお、ＯＳＤ画像を表示しない場合には、上記合成処理を行わないため、画像データ処理部２５から出力される画像データが、そのままライトバルブ駆動部１４に供給される。
【００３２】
ライトバルブ駆動部１４が、ＯＳＤ処理部２７から入力した画像データに基づいて液晶ライトバルブ１２を駆動することにより、スクリーンＳＣには、入力画像が表示されるとともに、必要に応じて、入力画像上にＯＳＤ画像が重畳表示される。
【００３３】
次に、本実施形態のプロジェクタ１の動作について説明する。
図２は、ＯＳＤ処理部２７によって重畳されるメニュー画像を説明する説明図であり、入力操作部２２又はリモコンＲＣのメニューキー（「Ｍｅｎｕ」）が操作された場合に、スクリーンＳＣ上に投写される画像を表している。
入力画像Ｇｓを表示している状態で、入力操作部２２又はリモコンＲＣのメニューキー（「Ｍｅｎｕ」）が操作されると、制御部２０は、メニュー画像を表示するためのＯＳＤ画像情報をＯＳＤ処理部２７に出力する。ＯＳＤ処理部２７は、当該ＯＳＤ画像情報に基づき、ＯＳＤメモリ２８からメニュー画像を表すＯＳＤ画像データを読み出して、入力画像データに合成する。この結果、図２に示すように、スクリーンＳＣには、入力画像Ｇｓと、入力画像Ｇｓ上に重畳されたＯＳＤ画像（処理選択用メニュー画像Ｇｍ０）とが表示される。
【００３４】
処理選択用メニュー画像Ｇｍ０には、複数の項目名（「画質」、「設定」、「メモリ」等）が列記されており、その中の１項目（図２では、「画質」）が仮選択の状態（背景色が他の項目と異なる状態）となっている。ユーザは、入力操作部２２又はリモコンＲＣの上下方向キー（「↑」又は「↓」）を操作することにより、仮選択の項目を変更することが可能になっており、所望の項目を仮選択した後に決定キー（「Ｓｅｌ」）を操作すると、当該項目に関連した設定や情報閲覧等を行うことができる。ここで、メニュー項目の中から「画質」を選択（仮選択した後に決定キーを操作）すると、制御部２０は、ＯＳＤ処理部２７に指示をして、新たなＯＳＤ画像（画質調整用メニュー画像）を入力画像Ｇｓに重畳させる。ユーザは、当該ＯＳＤ画像により、入力画像Ｇｓに対して好みに応じた画質調整を行うためのパラメータの設定を行うことができる。
【００３５】
図３は、画質調整を行う際に表示するＯＳＤ画像を示す説明図であり、入力画像Ｇｓ上に重畳して表示される画質調整用メニュー画像を表している。
図３に示すように、画質調整用メニュー画像Ｇｍ１には、「カラーモード」、「明るさ」、「コントラスト」、「色の濃さ」、「色合い」、「シャープネス（輪郭強調）」の６つの調整項目名が上下方向に並んで表示されており、各調整項目名の右側には、それぞれの設定値（パラメータ）が併記されている。
【００３６】
「カラーモード」とは、画像の種別やその内容、或いは視聴環境等に応じた色調や明るさ等を設定するための項目である。そのパラメータとしては、例えば、明るい環境での視聴に適する「ダイナミック」や、薄明かりの中での視聴に適する「リビング」、暗い環境下で入力信号に忠実な画像を再現可能な「ナチュラル」、暗い環境下での映画鑑賞に適する「シアター」等があり、この中から画像や視聴環境等に応じて選択することができる。また、「明るさ」、「コントラスト」、「色の濃さ」、「色合い」、「シャープネス」の各項目のパラメータは数値で表され、所定の範囲内（数段階から数十段階）でパラメータを増減することにより、それぞれの度合いを微調整することができる。
【００３７】
ユーザは、画質調整用メニュー画像Ｇｍ１が表示された状態で、上下方向キー（「↑」、「↓」）を操作して所望の項目を仮選択した後、決定キー（「Ｓｅｌ」）を操作することにより、当該項目のパラメータを変更することができる。ここで、「カラーモード」が選択された場合には、制御部２０は、ＯＳＤ処理部２７に指示をして、カラーモード選択用メニュー画像Ｇｍ２（図４参照）を重畳表示させ、いずれか１つのカラーモードをユーザに選択させる。ユーザは、上下方向キー（「↑」、「↓」）及び決定キー（「Ｓｅｌ」）によって所望のカラーモードを選択することができる。また、画質調整用メニュー画像Ｇｍ１が表示された状態で、「カラーモード」以外の項目が選択された場合には、制御部２０は、ＯＳＤ処理部２７に指示をして、数値調整用メニュー画像Ｇｍ３（図５参照）を表示させ、ユーザに数値の調整を行わせる。ユーザは、左右方向キー（「←」、「→」）によって数値を増減することができる。
【００３８】
上記の手順により、パラメータが変更されると、制御部２０は、全パラメータからなるパラメータセットを画像データ処理部２５に出力する。画像データ処理部２５は、当該パラメータセットに基づいて、ＬＵＴ（Look Up Table）を用いたデータ変換や、デジタルフィルタを用いたフィルタ処理等、入力画像データに対する画質調整を開始する。
【００３９】
なお、各メニュー画像Ｇｍ０〜Ｇｍ３のいずれかが表示された状態で取消キー（「ＥＳＣ」）が操作されると、制御部２０は、ＯＳＤ処理部２７に指示をして、現在重畳しているメニュー画像を消去し、１つ前の表示画面に戻る（後述するメニュー画像Ｇｍ４〜Ｇｍ６についても同様）。例えば、カラーモード選択用メニュー画像Ｇｍ２、又は数値調整用メニュー画像Ｇｍ３が表示された状態であれば、画質調整用メニュー画像Ｇｍ１を表示した画面状態に戻り、画質調整用メニュー画像Ｇｍ１が表示された状態であれば、処理選択用メニュー画像Ｇｍ０を表示した画面状態に戻る。また、処理選択用メニュー画像Ｇｍ０が表示された状態であれば、メニュー画像を非表示として入力画像Ｇｓを鑑賞可能な状態に戻る。また、前記各メニュー画像Ｇｍ０〜Ｇｍ３のいずれかが表示された状態で、メニューキー（「Ｍｅｎｕ」）が操作されると、制御部２０は、ＯＳＤ処理部２７に指示をして、重畳していたメニュー画像を消去し、入力画像Ｇｓを鑑賞可能な状態にする（後述するメニュー画像Ｇｍ４〜Ｇｍ６についても同様）。
【００４０】
図２に戻って、ユーザは、処理選択用メニュー画像Ｇｍ０が表示されている状態で、「メモリ」を選択することにより、現在使用中のパラメータセットを記憶部２１に記憶させたり（登録）、記憶部２１に記憶されているパラメータセットを読み出して使用したり（呼出）することができる。
【００４１】
図６は、パラメータセットの登録や呼出を行う際に表示するＯＳＤ画像を示す説明図である。
制御部２０は、処理選択用メニュー画像Ｇｍ０で「メモリ」が選択されると、ＯＳＤ処理部２７に指示をして、図６に示すようなＯＳＤ画像（メモリ操作用メニュー画像Ｇｍ４）を入力画像Ｇｓに重畳して表示させる。
【００４２】
メモリ操作用メニュー画像Ｇｍ４には、パラメータセットの登録を行うための「メモリ登録」、既に登録されているパラメータセットを呼び出すための「メモリ呼出」、既に登録されているパラメータセットを全て消去して初期状態に戻す「メモリ初期化」の３つの項目が列記されており、ユーザは、上下方向キー（「↑」、「↓」）と決定キー（「Ｓｅｌ」）を操作して、いずれかの項目を選択することができる。ここで、「メモリ登録」が選択されると、制御部２０は、ＯＳＤ処理部２７に指示をして、パラメータセットを登録するためのＯＳＤ画像（メモリ登録用メニュー画像）を入力画像Ｇｓに重畳して表示させる。
【００４３】
図７は、パラメータセットの登録を行う際に表示するＯＳＤ画像を示す説明図である。
図７に示すように、メモリ登録用メニュー画像Ｇｍ５は、選択領域Ｇｍ５ａと、登録済みパラメータ表示領域Ｇｍ５ｂと、現行パラメータ表示領域Ｇｍ５ｃ等によって構成されている。本実施形態では、記憶部２１に６つのパラメータセットを記憶させることが可能となっており、メモリ登録用メニュー画像Ｇｍ５の選択領域Ｇｍ５ａには、それぞれ前記６つのパラメータセットに対応付けられた識別子（「メモリ１」〜「メモリ６」）が上下方向に列記されている。各識別子の左側には、登録状況を表すマークＭが付されており、各識別子に対してパラメータセットが登録済みか否かをマークＭの色によって判別することができる（例えば、黒なら登録済み、白なら未登録）。
【００４４】
６つの識別子のうちの１つは、仮選択の状態になっており、ユーザは、上下方向キー（「↑」、「↓」）を操作することにより、他の識別子を仮選択することができる。ユーザは、未登録の識別子を仮選択した後、決定キー（「Ｓｅｌ」）を操作することによって、現在使用中のパラメータセットを、仮選択した前記識別子に対応付けて記憶部２１に記憶させることができる。
【００４５】
一方、既に他のパラメータセットが登録されている識別子に対して、現在使用中のパラメータセットを上書きして記憶させることも可能になっている。既に他のパラメータセットが登録されている識別子が仮選択された場合、制御部２０は、当該パラメータセットを記憶部２１から読み出し、ＯＳＤ処理部２７に指示をして、各調整項目名とそれぞれのパラメータとを、登録済みパラメータ表示領域Ｇｍ５ｂに並べて表示させる。さらに、現行パラメータ表示領域Ｇｍ５ｃに、登録しようとしている現在使用中のパラメータセットに含まれるパラメータを、登録済みのパラメータと項目毎に比較できるように並べて表示させる。
【００４６】
これにより、ユーザは、登録しようとしている現在のパラメータセットと、既に登録されているパラメータセットとを比較して、その同一性や類似性を判断することが可能となり、全く同一のパラメータセットが既に登録されている場合に登録を取り止めたり、類似したパラメータセットが既に登録されている場合には上書きしたりすることで、無駄な登録を抑制することができる。ユーザが所望の識別子を仮選択した後、決定キー（「Ｓｅｌ」）を操作すると、制御部２０は、現在使用中のパラメータセットを、仮選択された前記識別子に対応付けて記憶部２１に記憶させる。
【００４７】
なお、未登録の識別子が仮選択された状態でも、登録済みパラメータ表示領域Ｇｍ５ｂには各調整項目名を表示し、現行パラメータ表示領域Ｇｍ５ｃには現在使用中のパラメータを表示するのが望ましい。
【００４８】
図６に戻って、メモリ操作用メニュー画像Ｇｍ４が表示されている状態で、「メモリ呼出」が選択されると、制御部２０は、ＯＳＤ処理部２７に指示をして、登録されたパラメータセットを呼び出すためのＯＳＤ画像（メモリ呼出用メニュー画像）を表示させる。
【００４９】
図８は、パラメータセットの呼出を行う際に表示するＯＳＤ画像を示す説明図である。
図８に示すように、メモリ呼出用メニュー画像Ｇｍ６は、選択領域Ｇｍ６ａと、登録済みパラメータ表示領域Ｇｍ６ｂと、現行パラメータ表示領域Ｇｍ６ｃ等によって構成されている。選択領域Ｇｍ６ａには、６つの識別子（「メモリ１」〜「メモリ６」）が上下方向に列記されており、そのうちの１つが仮選択された状態になっている。また、６つの識別子のうち、パラメータセットが登録されていない識別子（「メモリ３」及び「メモリ６」）については、仮選択ができないようになっており、他の識別子に比べて目立たない色で表示されている。
【００５０】
ユーザが、上下方向キー（「↑」、「↓」）を操作することにより、パラメータセットが登録されている識別子のいずれか１つを仮選択すると、制御部２０は、当該パラメータセットを記憶部２１から読み出し、ＯＳＤ処理部２７に指示をして、各調整項目名とそれぞれのパラメータとを、登録済みパラメータ表示領域Ｇｍ６ｂに並べて表示させる。さらに、現行パラメータ表示領域Ｇｍ６ｃに、現在使用中のパラメータセットに含まれるパラメータを、登録済みのパラメータと項目毎に比較できるように並べて表示させる。
【００５１】
これにより、ユーザは、現在使用中のパラメータセットと、呼び出そうとする登録済みのパラメータセットとを比較して、その相違点を認識することで、登録済みのパラメータセットに基づいて画質調整した場合の表示状態を予測することが容易になり、所望のパラメータセットを選定する際の利便性が向上する。
【００５２】
ユーザが所望の識別子を仮選択した状態で、決定キー（「Ｓｅｌ」）を操作すると、制御部２０は、当該識別子に対応付けられたパラメータセットを画像データ処理部２５に出力し、画像データ処理部２５が、入力画像データに対して当該パラメータセットに基づいた画質調整を開始する。
【００５３】
以上説明したように、本実施形態のプロジェクタ１によれば、以下の効果を得ることができる。
（１）本実施形態のプロジェクタ１によれば、パラメータセットを登録すべき識別子を選択させる際、つまり、パラメータセットを記憶部２１に記憶させる前に、このパラメータセットに含まれるパラメータと、仮選択された登録済みのパラメータセットに含まれるパラメータとを、メモリ登録用メニュー画像Ｇｍ５内に表示するため、双方のパラメータセットに含まれるパラメータを比較することが可能となる。この結果、登録しようとしているパラメータセットと同一若しくは類似のパラメータセットが既に登録されているか否かを確認することが容易になり、同一若しくは類似のパラメータセットを複数登録してしまうことを抑制することが可能となる。
【００５４】
（２）本実施形態のプロジェクタ１によれば、登録済みの複数組のパラメータセットの中から、呼び出すべき１組のパラメータセットを選択させる際に、現在使用中のパラメータセットに含まれるパラメータと、仮選択された登録済みのパラメータセットに含まれるパラメータとを、メモリ呼出用メニュー画像Ｇｍ６内に表示するため、双方のパラメータセットに含まれるパラメータを比較することが可能となる。この比較により、登録済みの各パラメータセットを使用した場合の表示状態（現在の表示状態との相違）を予測することが容易になり、複数組のパラメータセットの中から所望の１組を選択する際の利便性が向上する。
【００５５】
（第２実施形態）
以下、本発明の第２実施形態に係る画像表示装置について、図面を参照して説明する。
本実施形態の画像表示装置であるプロジェクタ１は、メモリ登録やメモリ呼出を行う際に、メモリ登録用メニュー画像Ｇｍ５やメモリ呼出用メニュー画像Ｇｍ６により、パラメータの比較が可能であることに加え、各メニュー画像Ｇｍ５，Ｇｍ６の背景に表示する画像によって、現在使用中のパラメータセットによる表示状態と、記憶部２１に登録されているパラメータセットによる表示状態とを比較することが可能になっている。
【００５６】
図９（ａ）、（ｂ）は、本実施形態に係るプロジェクタの投写画像を示す説明図であり、メモリ登録時にスクリーンＳＣ上に投写される画像を表している。
メモリ登録用メニュー画像Ｇｍ５を表示した状態で、上下方向キー（「↑」、「↓」）により、パラメータセットが登録済みの識別子が仮選択されると、制御部２０は、前記第１実施形態と同様、当該識別子に対応するパラメータセットを記憶部２１から読み出して、その内容（パラメータ）と、現在使用中のパラメータセットの内容とをメモリ登録用メニュー画像Ｇｍ５内に表示する。
【００５７】
これに加えて、図９（ａ）に示すように、制御部２０は、読み出したパラメータセットを画像データ処理部２５に出力することにより、入力画像データに対して当該パラメータセットに基づく画質調整を施した画像Ｇｓ１をメモリ登録用メニュー画像Ｇｍ５の背景に表示させる。さらに、制御部２０は、表示されている画像Ｇｓ１が登録済みのパラメータセットに基づいて画質調整されていることを示すために、ＯＳＤ処理部２７に指示をして、当該パラメータセットに対応する識別子を表すＯＳＤ画像Ｇｎを入力画像Ｇｓに重畳表示させる。
【００５８】
ここで、登録済みの識別子が仮選択された状態、即ち、メモリ登録用メニュー画像Ｇｍ５の背景に画像Ｇｓ１が表示されている状態で、ユーザが右方向キー（「→」）を操作すると、図９（ｂ）に示すように、制御部２０は、現在使用中の（登録前の）パラメータセットを画像データ処理部２５に出力することにより、当該パラメータセットに基づく画質調整を施した画像Ｇｓ０をメモリ登録用メニュー画像Ｇｍ５の背景に表示させる。さらに、表示されている画像Ｇｓ０が現在使用中のパラメータセットに基づいた画質調整が施されていることを示すために、ＯＳＤ処理部２７に指示をして、ＯＳＤ画像Ｇｎの代わりに「現行パラメータ」を表すＯＳＤ画像Ｇｐを表示させる。
【００５９】
また、メモリ登録用メニュー画像Ｇｍ５の背景に、現在使用中のパラメータセットに基づく画像Ｇｓ０が表示されている状態で、ユーザが左方向キー（「←」）を操作すると、制御部２０は、仮選択された登録済みのパラメータセットに基づいた画像Ｇｓ１を表示する状態に戻す。つまり、ユーザが左右方向キー（「←」、「→」）を交互に操作することにより、現在使用中のパラメータセットと、登録済みのパラメータセットとを、実際の画像Ｇｓ０，Ｇｓ１を見ながら比較することが可能となる。
【００６０】
なお、図示は省略するが、メモリ呼出用メニュー画像Ｇｍ６を表示している際にも、左右方向キー（「←」、「→」）を交互に操作することにより、現在使用中のパラメータセットに基づく画質調整を施した画像Ｇｓ０と、仮選択された登録済みのパラメータセットに基づく画質調整を施した画像Ｇｓ１とを切り換えて、メモリ呼出用メニュー画像Ｇｍ６の背景に表示可能になっており、メモリ呼出時にも双方のパラメータを、実際の画像Ｇｓ０，Ｇｓ１を見ながら比較することができる。
【００６１】
以上説明したように、本実施形態のプロジェクタ１によれば、前記第１実施形態の効果に加えて、以下の効果を得ることができる。
（１）本実施形態のプロジェクタ１によれば、パラメータセットを登録すべき識別子を選択させる際、つまり、パラメータセットを記憶部２１に記憶させる前に、このパラメータセットに基づいて調整された画像Ｇｓ０と、仮選択された登録済みのパラメータセットに基づいて調整された画像Ｇｓ１とを、キー操作に応じて切り換えて表示する。この結果、双方のパラメータセットを、実際の画像Ｇｓ０，Ｇｓ１を見ながら比較することが可能となるため、同一若しくは類似のパラメータセットが既に記憶されているか否かを確認することがさらに容易になる。
【００６２】
（２）本実施形態のプロジェクタ１によれば、登録済みの複数組のパラメータセットの中から、呼び出すべき１組のパラメータセットを選択させる際に、現在使用中のパラメータセットに基づいて調整された画像Ｇｓ０と、仮選択された登録済みのパラメータセットに基づいて調整された画像Ｇｓ１とを、キー操作に応じて切り換えて表示する。つまり、登録済みのパラメータセットを使用した場合の表示状態を、実際の画像Ｇｓ１を見て確認できるとともに、現在使用中のパラメータセットに基づいた画像Ｇｓ０と比較することが可能となるため、複数組のパラメータセットの中から所望の１組を選択する際の利便性がさらに向上する。
【００６３】
（第３実施形態）
以下、本発明の第３実施形態に係る画像表示装置について、図面を参照して説明する。
本実施形態の画像表示装置であるプロジェクタ１は、メモリ登録やメモリ呼出を行う際に、前記第２実施形態と同様、各メニュー画像Ｇｍ５，Ｇｍ６の背景に表示する画像によって、現在使用中のパラメータセットによる表示状態と、登録済みのパラメータセットによる表示状態とを比較することが可能になっている。
【００６４】
図１０は、本実施形態に係るプロジェクタの投写画像を示す説明図であり、メモリ登録時にスクリーンＳＣ上に投写される画像を表している。
メモリ登録用メニュー画像Ｇｍ５を表示した状態で、上下方向キー（「↑」、「↓」）により、パラメータセットが登録済みの識別子が仮選択されると、制御部２０は、前記第１実施形態と同様、当該パラメータセットを記憶部２１から読み出して、その内容（パラメータ）と、現在使用中のパラメータセットの内容とをメモリ登録用メニュー画像Ｇｍ５内に表示する。
【００６５】
これに加えて、図１０に示すように、制御部２０は、画像データ処理部２５に指示をして、例えば、本来の入力画像Ｇｓの左半分が左右に２つ並んで表示されるような画像データを生成させ、この内の右側の画像Ｇｓ０を表す画像データには、現在使用中のパラメータセットに基づく画質調整を施し、左側の画像Ｇｓ１を表す画像データには、仮選択されて読み出されたパラメータセットに基づく画質調整を施して、メモリ登録用メニュー画像Ｇｍ５の背景に画像Ｇｓ０，Ｇｓ１を表示させる。さらに、制御部２０は、各画像Ｇｓ０，Ｇｓ１が、それぞれ現在使用中のパラメータセット、及び登録済みのパラメータセットに基づいて画質調整されていることを示すために、ＯＳＤ処理部２７に指示をして、「現行パラメータ」を表すＯＳＤ画像Ｇｐを画像Ｇｓ０上に重畳表示させ、登録済みのパラメータセットに対応する識別子を表すＯＳＤ画像Ｇｎを画像Ｇｓ１上に重畳表示させる。
【００６６】
なお、図示は省略するが、メモリ呼出用メニュー画像Ｇｍ６を表示している際にも、その背景に、現在使用中のパラメータセットに基づく画質調整を施した画像Ｇｓ０と、仮選択された登録済みのパラメータセットに基づく画質調整を施した画像Ｇｓ１とを左右に並べて表示する。
【００６７】
以上説明したように、本実施形態のプロジェクタ１によれば、前記第１及び第２実施形態の効果に加えて、以下の効果を得ることができる。
本実施形態のプロジェクタ１によれば、パラメータセットを登録すべき識別子を選択させる際、或いは、登録済みの複数組のパラメータセットの中から、呼び出すべき１組のパラメータセットを選択させる際に、現在使用中のパラメータセットに基づいて調整された画像Ｇｓ０と、登録済みのパラメータセットに基づいて調整された画像Ｇｓ１とを同時に表示するため、双方を比較するのが容易になる。
【００６８】
なお、ユーザに所望のパラメータセットを選択させるために、メモリ呼出用メニュー画像Ｇｍ６を表示させる際の制御部２０が、本発明の選択手段に相当し、現在使用中のパラメータセットを登録するために、メモリ登録用メニュー画像Ｇｍ５を表示させる際の制御部２０が、本発明の登録手段に相当する。また、パラメータを変更するためのメニュー画像（画質調整用メニュー画像Ｇｍ１、カラーモード選択用メニュー画像Ｇｍ２、数値調整用メニュー画像Ｇｍ３）を表示させる際の制御部２０が、本発明のパラメータ変更手段に相当する。
【００６９】
（変形例）
なお、本発明の実施形態は、以下のように変更してもよい。
前記実施形態では、メモリ登録用メニュー画像Ｇｍ５やメモリ呼出用メニュー画像Ｇｍ６内に、現在使用中のパラメータセットに含まれる複数のパラメータと、登録済みのパラメータセットに含まれる複数パラメータとを表示しているが、表示するパラメータの数は複数に限られず、１つ（例えば、カラーモード）のみを表示するようにしてもよい。
【００７０】
前記実施形態では、メモリ登録用メニュー画像Ｇｍ５やメモリ呼出用メニュー画像Ｇｍ６内に表示する登録済みのパラメータとして、仮選択された１つのパラメータセットに含まれるパラメータのみを表示しているが、複数のパラメータセットに含まれるパラメータを表示するようにしてもよい。
【００７１】
前記実施形態では、パラメータセットが、画質調整に関わるパラメータのみで構成されているが、画面サイズ（アスペクト比）を表すパラメータや、光学系を調整するためのパラメータ等で構成されていてもよい。
【００７２】
前記第２及び第３実施形態において、入力画像の種別（動画像又は静止画像）に関わらず、メニュー画像Ｇｍ５，Ｇｍ６の背景に表示する画像Ｇｓ０，Ｇｓ１は常に静止画像とし、２つの画像Ｇｓ０，Ｇｓ１を厳密に比較できるようにしてもよい。静止画像としては、入力画像（動画像）をキャプチャした画像を用いてもよいし、予め用意された（記憶部２１等に記憶された）画像を用いるようにしてもよい。
【００７３】
前記実施形態では、画像表示装置の例として、プロジェクタ１の説明をしているが、液晶表示装置等、他の画像表示装置に適用することも可能である。
【図面の簡単な説明】
【００７４】
【図１】本発明に係るプロジェクタの概略構成を示すブロック図。
【図２】ＯＳＤ処理部によって重畳されるメニュー画像を説明する説明図。
【図３】画質調整を行う際に表示するＯＳＤ画像を示す説明図。
【図４】カラーモードを選択する際に表示するＯＳＤ画像を示す説明図。
【図５】パラメータを調整する際に表示するＯＳＤ画像を示す説明図。
【図６】パラメータセットの登録や呼出を行う際に表示するＯＳＤ画像を示す説明図。
【図７】パラメータセットの登録を行う際に表示するＯＳＤ画像を示す説明図。
【図８】パラメータセットの呼出を行う際に表示するＯＳＤ画像を示す説明図。
【図９】（ａ）、（ｂ）は、第２実施形態に係るプロジェクタの投写画像を示す説明図。
【図１０】第３実施形態に係るプロジェクタの投写画像を示す説明図。
【符号の説明】
【００７５】
１…プロジェクタ、１０…投写部、１１…光源、１２…液晶ライトバルブ、１３…投写レンズ、１４…ライトバルブ駆動部、２０…制御部、２１…記憶部、２２…入力操作部、２３…リモコン信号受信部、２５…画像データ処理部、２６…画像メモリ、２７…ＯＳＤ処理部、２８…ＯＳＤメモリ、ＣＮ…入力端子、ＲＣ…リモコン、Ｇｍ０…処理選択用メニュー画像、Ｇｍ１…画質調整用メニュー画像、Ｇｍ２…カラーモード選択用メニュー画像、Ｇｍ３…数値調整用メニュー画像、Ｇｍ４…メモリ操作用メニュー画像、Ｇｍ５…メモリ登録用メニュー画像、Ｇｍ６…メモリ呼出用メニュー画像。
【図１】
0004725255.tif 000002
【図２】
0004725255.tif 000003
【図３】
0004725255.tif 000004
【図４】
0004725255.tif 000005
【図５】
0004725255.tif 000006
【図６】
0004725255.tif 000007
【図７】
0004725255.tif 000008
【図９】
0004725255.tif 000009
【図１０】
0004725255.tif 000010
【図８】
0004725255.tif 000011